(57)【特許請求の範囲】
【請求項１】
多数枚のシートを保持するシート保持体と、最上位の前記シートを吸着する複数個の吸盤と、これらの吸盤を前記シート保持体に対して相対駆動する駆動手段とを備えたシート供給装置において、前記シート保持体には前記吸盤が前記シートを押圧した際に前記シートの盛上がり部を吸収する吸収手段を設けたことを特徴とするシート供給装置。
【請求項２】
前記盛上がり部は前記シートに貼付したシールによる請求項１に記載のシート供給装置。
【請求項３】
前記シールはバーコードを備えた請求項２に記載のシート供給装置。
【請求項４】
前記吸収手段はスポンジとした請求項１に記載のシート供給装置。
【請求項５】
多数枚のシートを保持するシート保持体と最上位の前記シートを吸着する複数個の吸盤とこれらの吸盤を前記シート保持体に対して相対駆動する駆動手段とを備えたシート供給部と、該シート供給部から前記シートを受け入れて前記シートに対して情報の記録又は読取りを行う記録読取部とから成り、前記シート保持具には前記吸盤が前記シートを押圧した際に前記シートの盛上がり部を吸収する吸収手段を設けたことを特徴とする記録読取装置。
【発明の詳細な説明】
【０００１】
【発明の属する技術分野】
本発明は、シートを画像記録装置や画像読取装置に供給するためのシート供給装置、及びこのシート供給装置を用いて供給したシートに対して情報の記録又は読取を行う記録読取装置に関するものである。
【０００２】
【従来の技術】
従来、シート供給装置は記録読取装置、その他の種々の装置に広く用いられており、例えば特開平７−８１７８７号公報等に開示されたものが知られている。このシート供給装置では、図８に示すようにシート保持体１に積み重ねられた多数枚のフィルムＦは、次のような作用によって図示しない記録読取装置に供給されるようになっている。
【０００３】
即ち、駆動部は第１の駆動源２と第２の駆動源３から構成され、第１の駆動源２が不作動であるときに第２の駆動源３が作動すると、回動軸４と共にねじ部４ａが回動し、ナット５と共にスライダ６が左方へ移動する。スライダ６が移動することにより、ピン７がアーム支持部材８のピン案内孔８ａ内を左方へ摺動し、アーム９、１０が支軸１１の廻りに回動して、吸盤支持部材１２が下方へ移動する。そして、吸盤支持部材１２にニップル１３、１４を介して装着された吸盤１５、１６がフィルムＦの表面に接触し、図示しない真空ポンプの作動により吸盤１５、１６がフィルムＦを吸着する。この状態で第１の駆動源２と第２の駆動源３の双方が作動すると、回動軸４とアーム支持部材８が同一速度で同一方向に回動し、吸盤支持部材１２は回動軸４との間隔を一定に保持されながら最上位のフィルムＦを記録読取装置に供給する。
【０００４】
【発明が解決しようとする課題】
近年、フィルムＦには識別情報を有するシールが、記録又は読取りに支障のない位置に貼付されている場合が多い。この種のシールの厚みは、例えば２０〜１００μｍである場合が多いので、多数枚のシール付きのフィルムＦが積み重ねられた際に、フィルムＦにはシールの積み重ねによる盛上がり部Faが発生する。このため、従来のシート供給装置やこの装置を用いた記録読取装置では、一方の吸盤１５のみがフィルムＦの盛上がり部Faに片当りし、安定したフィルムＦの供給が不可能になるという問題が発生している。
【０００５】
本発明の目的は、上述した問題点を解消し、シートに盛上がり部がある場合でも、安定したシートの供給が可能なシート供給装置及び該装置を用いた記録読取装置を提供することにある。
【０００６】
【課題を解決するための手段】
上述目的を達成するための本発明に係るシート供給装置は、多数枚のシートを保持するシート保持体と、最上位の前記シートを吸着する複数個の吸盤と、これらの吸盤を前記シート保持体に対して相対駆動する駆動手段とを備えたシート供給装置において、前記シート保持体には前記吸盤が前記シートを押圧した際に前記シートの盛上がり部を吸収する吸収手段を設けたことを特徴とする。
【０００７】
また、本発明に係る記録読取装置は、多数枚のシートを保持するシート保持体と最上位の前記シートを吸着する複数個の吸盤とこれらの吸盤を前記シート保持体に対して相対駆動する駆動手段とを備えたシート供給部と、該シート供給部から前記シートを受け入れて前記シートに対して情報の記録又は読取りを行う記録読取部とから成り、前記シート保持具には前記吸盤が前記シートを押圧した際に前記シートの盛上がり部を吸収する吸収手段を設けたことを特徴とする。
【０００８】
【発明の実施の形態】
本発明を図１〜図７に図示の実施例に基づいて詳細に説明する。
図１は第１の実施例のシート供給装置２０の斜視図、図２は縦断面図、図３は部分水平断面図であり、台状のシート保持体２１の上面に医療情報用の多数枚のフィルムＦが積み重ねられている。これらのフィルムＦの一隅には、バーコードを備えたシールＳが貼付され、フィルムＦにはシールＳによる盛上がり部Faが生じている。
【０００９】
シート保持体２１の上方には、断面コ字状の吸盤保持部材２２が配置され、吸盤保持部材２２の底壁にはニップル２３、２４が嵌合固定されている。これらのニップル２３、２４の下部には吸盤２５、２６がそれぞれ装着され、ニップル２３、２４の上部は図示しない真空ポンプに可撓管を介して連結されている。吸盤保持部材２２の両側壁には、対向するピン保持孔２２ａとピン案内孔２２ｂが形成され、ピン保持孔２２ａにはピン２７が回動自在に挿入され、ピン案内孔２２ｂにはピン２８が回動及び摺動自在に挿入されている。
【００１０】
吸盤保持部材２２はピン２９により回動自在に交叉支持されたアーム３０、３１により支持されている。アーム３０、３１の下端はピン２７、２８にそれぞれ結合され、アーム３０、３１の上端はそれぞれのピン３２、３３を介してアーム支持部材３４に支持されている。この場合にも、ピン３２はアーム支持部材３４の両側壁に対向して形成されたピン案内孔３４ａに回動及び摺動自在に挿入され、ピン３３はピン保持孔３４ｂに回動自在に挿入されている。これにより、吸盤保持部材２２はアーム支持部材３４に対して平行に支持されると共に、アーム支持部材３４に対し上下動自在とされている。
【００１１】
このようなアーム支持部材３４は回動軸３５に貫通支持され、回動軸３５は図示しないフレームに回動自在に支持されている。回動軸３５にはスライダ３６が軸方向に摺動自在に貫通支持され、スライダ３６の一端にはナット３７が固定されている。ナット３７は回動軸３５に形成されたねじ部３５ａに螺合され、スライダ３６の下部はピン３２に連結されている。そして、アーム支持部材３４の一端には歯車３８が固定され、この歯車３８は第１の駆動源３９の歯車４０に噛合されている。また、回動軸３５の一端には歯車４１が固定され、この歯車４１は第２の駆動源４２の歯車４３に噛合されている。これにより、吸盤保持部材２２は回動軸３５の回りに周回動自在とされている。
【００１２】
ここで、シート保持体２１には、フィルムＦの大部分を保持する上段部２１ａと、フィルムＦの盛上がり部Faの近傍において上段部２１ａよりも低く位置する下段部２１ｂとが備えられている。下段部２１ｂの平面形状は例えば吸盤２５側の面積が大きくなる三角形とされ、下段部２１ａには弾性部材４４が配置されている。弾性部材４４にはスポンジ、ゴム等が使用され、その表面が上段部２１ａの表面と略一致するような厚さに形成されている。そして、フィルムＦの例えば吸盤２５側の隅部の上方には爪部材４５が配置され、吸盤２５、２６により吸着されて上方へ移送されたフィルムＦは、隅部が爪部材４５により一時的に押さえ付けられることにより、次層のフィルムＦから確実に分離されるようになっている。なお、爪部材４５は吸盤２６側の隅部の上方にも設けることができる。
【００１３】
このように構成されたシート供給装置２０では、第１の駆動源３９が不作動であるときに第２の駆動源４２が作動すると、回動軸３５と共にねじ部３５ａが回動し、ナット３７と共にスライダ３６が左方へ移動する。これにより、ピン３２がピン案内孔３４ａ内を左方へ摺動し、アーム３０、３１がピン２９の廻りに回動して、吸盤保持部材２２が水平に降下する。
【００１４】
吸盤保持部材２２が降下すると、図４に示すように一方の吸盤２５がフィルムＦの盛上がり部Faを押圧し、弾性部材４４の上面を変形させながらフィルムＦの表面を平坦にする。その後に、双方の吸盤２５、２６は片当たりすることなくフィルムＦに当接し、真空ポンプの作用によりフィルムＦを吸着する。
【００１５】
この状態で、第２の駆動源４２が逆回転すると、図５に示すように吸盤保持部材２２が所定位置まで上昇する。この際に、弾性部材４４が復元することによりフィルムＦの上面に盛上がり部Faが再現し、爪部材４５がフィルムＦの一隅を折り曲げることにより、最上位のフィルムＦだけを次層のフィルムＦから分離する。そして、第１の駆動源３９と第２の駆動源４２の双方が作動すると、回動軸３５とアーム支持部材３４が同一角速度で同一方向に回動し、吸盤保持部材２２は回動軸３５との間隔を一定に保持されながら、フィルムＦを図示しない画像読取装置に供給する。
【００１６】
このように、第１の実施例では吸盤２５、２６がフィルムＦの表面を押圧したとき、弾性部材４４は変形しながらフィルムＦの盛上がり部Faを吸収するので、吸盤２５、２６はフィルムＦに片当たりすることなく、フィルムＦを良好に吸着でき、安定したフィルムＦの供給が可能となる。
【００１７】
図６は第２の実施例のシート供給装置２０’の斜視図であり、第１の実施例の弾性部材４４の代りに回動板４６が設けられている。この回動板４６は下段部２１ｂに表面が上段部２１ａの表面と一致するように、図示しないヒンジを介して支持され、回動板４６と下段部２１ｂの間に配置された図示しないばねにより水平に保持されている。
【００１８】
この第２の実施例では、吸盤２５がフィルムＦの盛上がり部Faを押圧した際に、可動板４６はばねを圧縮させながら点線で示すように回動してフィルムＦの盛上がり部Faを吸収するので、第１の実施例と同様な効果を得ることができる。
【００１９】
図７は第３の実施例の画像読取装置５０の構成図であり、装置本体５１の上部には光学ユニット５２が内蔵され、下部には第１の実施例と同様なシート供給装置２０が配置されている。光学ユニット５２とシート供給装置２０の間にはフィルムＦを受け入れるためのシート受入体５３が配置され、シート保持体２１とシート受入体５３の前端間には、円孤状のガイド５４、５５が設けられている。これらのガイド５４、５５は所定間隔で平行に設けられ、ガイド５４、５５の先端とシート受入体５３の間には副走査機構５６が設けられている。なお、装置本体５１には、シールＳのバーコードを読取るための図示しないシール読取手段が設けられている。
【００２０】
副走査機構５６では第１のローラ対５７がガイド５４、５５側に設けられ、シート受入体５３側には第２のローラ対５８が設けられ、これらのローラ対５７、５８のうちの何れか一方のローラは、図示しない駆動モータに接続されている。ローラ対５７、５８の上部には、接触することにより回転を伝達するためのプーリ５９が設けられ、プーリ５９の下方のローラ対５７、５８の間には、主走査方向にスリットを有する一対のガイド６０と、光学ユニット５２に向けた反射カバー６１を有するランプ６２とが上方から順次に設けられている。そして、光学ユニット５２にはランプ６２からの光ビームを反射する反射ミラー６３と、ミラー６３からの光ビームを結像させるレンズ６４と、レンズ６４からの光ビームを受光するＣＣＤ６５とが内蔵されている。
【００２１】
このように構成された画像読取装置５０では、シール読取手段がフィルムＦに貼付されたシールＳのバーコードを読取ると、吸盤２５、２６は位置ａから位置ｂに降下し、シート保持体２１上に積み重ねられた最上位のフィルムＦを吸着する。このとき、フィルムＦに盛上がり部Faがある場合には、吸盤２５、２６は第１の実施例と同様にフィルムＦを平坦にした後にフィルムＦを吸着し、その後に位置ｃに上昇する。次に、吸盤２５、２６はシート供給装置２０の中心Ｏの回りに回動し、フィルムＦをガイド５４、５５の間を通して位置ｄまで移送し、フィルムＦの先端を副走査機構５６の第１のローラ対５７の間に挿し込む。そして、吸盤２５、２６はフィルムＦの吸着を解放し、フィルムＦに干渉しない位置ｅに退避した後に位置ａへ戻る。
【００２２】
フィルムＦが挿し込まれた第１のローラ対５７は、フィルムＦを第２のローラ対５８に一定速度で搬送する。この間に、ランプ６２がフィルムＦを露光し、その透過光が光学ユニット５２の反射ミラー６３で反射し、レンズ６４を透過してＣＣＤ６５に結像する。これにより、フィルムＦから画像情報が読取られ、最後に第２のローラ対５８がフィルムＦをシート受入体５３に排出する。
【００２３】
この第３の実施例では、第１の実施例のシート供給装置２０を用いているため、フィルムＦに盛上り部Faが生じた場合でも、安定したフィルムＦの供給が可能となる。
【００２４】
なお、実施例では最大厚さが０．２５ｍｍと称されるフィルムＦを供給する場合について説明したが、厚さが０．２５ｍｍ以上のシートについて適用できることは当然である。
【００２５】
【発明の効果】
以上説明したように本発明に係るシート供給装置及び該装置を用いた記録読取装置は、吸盤がシートを押圧した際にシートの盛上がり部を吸収する吸収手段を設けたので、シートの表面に盛上がり部がある場合でも吸盤はシートを平坦にした状態で吸着することができ、安定したシートの供給が可能となる。
【図面の簡単な説明】
【図１】第１の実施例のシート供給装置の斜視図である。
【図２】縦断面図である。
【図３】部分水平断面図である。
【図４】作用説明図である。
【図５】作用説明図である。
【図６】第２の実施例のシート供給装置の斜視図である。
【図７】第３の実施例の画像読取装置の構成図である。
【図８】従来例のシート供給装置の縦断面図である。
【符号の説明】
２０、２０’  シート供給装置
２１  シート保持体
２５、２６  吸盤
３０、３１  アーム
３４  アーム支持部材
３５  回転軸
３６  スライダ
３９、４２  駆動源
４４  弾性部材
４５  部材爪
４６  可動板
５０  画像読取装置
【図１】
0003673604.tif 000002
【図２】
0003673604.tif 000003
【図３】
0003673604.tif 000004
【図４】
0003673604.tif 000005
【図５】
0003673604.tif 000006
【図６】
0003673604.tif 000007
【図７】
0003673604.tif 000008
【図８】
0003673604.tif 000009